(57)【要約】【課題】録画データの管理を容易に行うことができる録画装置を提供する。【解決手段】本発明に係る録画装置１は、放送される番組を光ディスクＤＫ１に録画する機能を有する録画装置であって、光ディスクＤＫ１に録画予約されている予約番組を示す録画予約情報を取得する録画予約管理部１４と、光ディスクＤＫ１の残容量が予約番組のすべてを録画可能な容量以上であるか否かを判定する予約録画実行可否判定部１５と、光ディスクＤＫ１の残容量が予約番組のすべてを録画可能な容量未満であると予約録画実行可否判定部１５が判定した場合、光ディスクＤＫ１に記録されている録画データＤ１のうち、特定のグループに属する番組以外の録画データを、録画装置１に接続されている他の録画装置２に移動させるデータ転送部１６と、を備える【選択図】図１
2011076690.tif 000002
【特許請求の範囲】
【請求項１】
放送される番組を記録メディアに録画する機能を有する録画装置であって、
上記記録メディアに録画予約されている予約番組を示す録画予約情報を取得する予約情報取得手段と、
上記記録メディアの残容量が上記予約番組のすべてを録画可能な容量以上であるか否かを判定する判定手段と、
上記記録メディアの残容量が上記予約番組のすべてを録画可能な容量未満であると上記判定手段が判定した場合、上記記録メディアに記録されている録画データのうち、特定のグループに属する番組以外の録画データを、上記録画装置に接続されている他の録画装置に移動させる転送手段と、を備えることを特徴とする録画装置。
【請求項２】
上記転送手段は、上記特定のグループに属する番組以外の録画データのうち、視聴済みの番組の録画データを優先して上記他の録画装置に移動させることを特徴とする請求項１に記載の録画装置。
【請求項３】
上記特定のグループに属する番組は、連続的に放送されるシリーズ番組であることを特徴とする請求項１または２に記載の録画装置。
【請求項４】
上記特定のグループに属する番組は、同一のジャンルに属する番組であることを特徴とする請求項１または２に記載の録画装置。
【請求項５】
放送される番組を記録メディアに録画する機能を有する録画装置であって、
上記記録メディアに録画予約されている予約番組を示す録画予約情報を取得する予約情報取得手段と、
上記記録メディアの残容量が上記予約番組のすべてを録画可能な容量以上であるか否かを判定する判定手段と、
上記記録メディアの残容量が上記予約番組のすべてを録画可能な容量未満であると判定された場合、上記記録メディアに記録されている録画データのうち、連続的に放送されるシリーズ番組であって最終番組の録画が完了しているシリーズ番組のすべての録画データを、上記録画装置に接続されている他の録画装置に移動させる転送手段と、を備えることを特徴とする録画装置。
【請求項６】
放送される番組を記録メディアに録画する機能を有する録画装置であって、
上記記録メディアに録画予約されている予約番組を示す録画予約情報を取得する予約情報取得手段と、
上記記録メディアの残容量が上記予約番組のすべてを録画可能な容量以上であるか否かを判定する判定手段と、
上記記録メディアの残容量が上記予約番組のすべてを録画可能な容量未満であると上記判定手段が判定した場合、上記記録メディアに記録されている録画データのうち、少なくとも一部の録画データを、上記録画装置に接続されている他の録画装置に移動させる転送手段と、を備え、
上記転送手段は、
連続的に放送されるシリーズ番組以外の視聴済みの録画データを第１の優先順位で上記他の録画装置に移動させ、
連続的に放送されるシリーズ番組であって最終番組の録画が完了している視聴済みのシリーズ番組のすべての録画データを第２の優先順位で上記他の録画装置に移動させ、
連続的に放送されるシリーズ番組以外の未視聴の録画データを第３の優先順位で上記他の録画装置に移動させ、
連続的に放送されるシリーズ番組であって最終番組の録画が完了している未視聴のシリーズ番組のすべての録画データを第４の優先順位で上記他の録画装置に移動させることを特徴とする録画装置。
【請求項７】
上記転送手段が移動させた録画データに関する識別情報と各録画データの移動先の録画装置とを含む録画リストを、自身に接続された表示装置に表示させる表示手段を備えることを特徴とする請求項１〜６のいずれか１項に記載の録画装置。
【請求項８】
上記転送手段が移動させた録画データを、移動先の録画装置から取り込む取込手段と、
当該録画データを再生する再生手段を備えることを特徴とする請求項７に記載の録画装置。
【請求項９】
放送される番組を録画する録画方法であって、
録画装置に備えられる記録メディアに録画予約されている予約番組を示す録画予約情報を取得する予約情報取得ステップと、
上記記録メディアの残容量が上記予約番組のすべてを録画可能な容量以上であるか否かを判定する判定ステップと、
上記判定ステップにおいて、上記記録メディアの残容量が上記予約番組のすべてを録画可能な容量未満であると判定された場合、上記記録メディアに記録されている録画データのうち、特定のグループに属する番組以外の録画データを、上記録画装置に接続されている他の録画装置に移動させる転送ステップと、を有することを特徴とする録画方法。
【請求項１０】
請求項１〜８のいずれか１項に記載の録画装置の各手段としてコンピュータを機能させるプログラム。
【請求項１１】
請求項１０に記載のプログラムを記録したコンピュータ読み取り可能な記録媒体。
【発明の詳細な説明】
【技術分野】
【０００１】
本発明は、放送される番組を録画する録画装置および録画方法に関し、特に、録画データの管理を容易に行うことができる録画装置および録画方法に関する。
【背景技術】
【０００２】
録画装置では、予約録画機能の向上により、所望の番組の録画予約を手軽に行うことが可能となっている。しかしながら、録画される光ディスクの残容量が不足している場合、録画予約された番組の一部または全部の録画が実行できないこととなる。
【０００３】
これに対し、特許文献１では、ネットワークに接続されている録画機器間で予約情報を共有することで記録を分散し、ある録画装置の記録媒体において予約録画が実行できない場合でも、他の記録機器で予約録画を実行する技術が開示されている。
【０００４】
図６（ａ）は、特許文献１に記載のネットワークシステム２００を示す図であり、図６（ｂ）は、特許文献１に記載の放送信号記録装置Ｒ２０１を示すブロック図である。図６（ａ）に示すように、ネットワークシステム２００では、レコーダＲ２０１、テレビジョンＲ２０２およびレコーダＲ２０３が、ネットワークＮを介して互いに接続されている。図６（ｂ）に示すように、レコーダＲ２０１は、ＴＶチューナ２１１と、ＤＶＤ−ＲＡＭ光ディスクＤをドライブするＤＶＤ−ＲＡＭドライブ２１５と、ハードディスク部２１７と、マイクロコンピュータブロック２１８と、ユーザインターフェース部２１９と、ネットワークインターフェース２２１とを有している。ユーザインターフェース部２１９を介して放送番組の録画予約操作があると、マイクロコンピュータブロック２１８は、本体のレコーダＲ２０１で録画が可能かどうかを判断し、録画可能となれば録画予約を実行する。一方、本体のレコーダＲ２０１での録画が不可能であれば、マイクロコンピュータブロック２１８は、他の記録機器であるテレビジョンＲ２０２およびレコーダＲ２０３が録画可能かどうかを問い合わせ、録画可能なレコーダがあれば、ネットワークインターフェース２２１からネットワークＮを経由して、録画可能なレコーダに対して録画予約情報を送信する。これにより、レコーダＲ２０１で録画できない放送番組を他のレコーダにおいて録画することができる。
【０００５】
このように、特許文献１では、本体の録画装置から予約操作を行なうことで、ネットワークに接続されている外部の録画装置を活用して予約録画を設定でき、特に、予約録画が実行不可能であるときには外部の録画装置に予約情報を送り、外部の録画装置にて予約録画を行なうことができる。
【先行技術文献】
【特許文献】
【０００６】
【特許文献１】特開２００３−１９９００４号公報（２００３年７月１１日公開）
【発明の概要】
【発明が解決しようとする課題】
【０００７】
ここで、毎日あるいは毎週のように定期的に放送されるシリーズ番組（例えば、ドラマや語学番組）を録画する場合、録画した光ディスクをコレクションとして管理しやすくするためには、１つの光ディスクに同一のシリーズ番組のみを連続して録画することが望ましい。
【０００８】
しかしながら、特許文献１に開示の構成では、本体の録画装置で予約録画が実行できない場合、録画予約情報を他の録画装置に送信するため、録画済みのいずれかの番組と同一のシリーズ番組が予約番組の中に含まれている場合、同一のシリーズ番組が異なる録画装置に記録されてしまう。他の録画装置に録画された番組を視聴するためには、その録画装置へ接続を切り替えることが必要になるため、ユーザはどの録画装置にどの番組が録画されているか把握しくくなり、録画した番組の管理が困難になる。
【０００９】
本発明は、上記の問題点を解決するためになされたもので、その目的は、録画データの管理を容易に行うことができる録画装置および録画方法を実現することにある。
【課題を解決するための手段】
【００１０】
上記の課題を解決するために、本発明に係る録画装置は、放送される番組を記録メディアに録画する機能を有する録画装置であって、上記記録メディアに録画予約されている予約番組を示す録画予約情報を取得する予約情報取得手段と、上記記録メディアの残容量が上記予約番組のすべてを録画可能な容量以上であるか否かを判定する判定手段と、上記記録メディアの残容量が上記予約番組のすべてを録画可能な容量未満であると上記判定手段が判定した場合、上記記録メディアに記録されている録画データのうち、特定のグループに属する番組以外の録画データを、上記録画装置に接続されている他の録画装置に移動させる転送手段と、を備えることを特徴としている。
【００１１】
上記の構成によれば、記録メディアの残容量が予約番組のすべてを録画可能な容量未満であると判定手段が判定した場合、転送手段は、記録メディアに記録されている録画データのうち、特定のグループに属する番組以外の録画データを、録画装置に接続されている他の録画装置に移動させる。すなわち、特定のグループに属する番組は、他の録画装置に移動されない。そのため、特定のグループに属する番組が異なる録画装置に分散して記録されることがない。したがって、録画データの管理を容易に行うことができる録画装置を実現できるという効果を奏する。
【００１２】
本発明に係る録画装置では、上記転送手段は、上記特定のグループに属する番組以外の録画データのうち、視聴済みの番組の録画データを優先して上記他の録画装置に移動させることが好ましい。
【００１３】
上記の構成によれば、転送手段は、視聴済みの番組の録画データを優先して移動させるので、未視聴番組の録画データが他の録画装置に移動してしまう可能性を低減することができる。
【００１４】
本発明に係る録画装置では、上記特定のグループに属する番組は、連続的に放送されるシリーズ番組であってもよい。
【００１５】
本発明に係る録画装置では、上記特定のグループに属する番組は、同一のジャンルに属する番組であってもよい。
【００１６】
上記の構成によれば、同一のシリーズ番組や同一ジャンルの番組が、異なる録画装置に記録されることがないので、録画データの管理を容易に行うことができる。
【００１７】
本発明に係る録画装置は、放送される番組を記録メディアに録画する機能を有する録画装置であって、上記記録メディアに録画予約されている予約番組を示す録画予約情報を取得する予約情報取得手段と、上記記録メディアの残容量が上記予約番組のすべてを録画可能な容量以上であるか否かを判定する判定手段と、上記記録メディアの残容量が上記予約番組のすべてを録画可能な容量未満であると判定された場合、上記記録メディアに記録されている録画データのうち、連続的に放送されるシリーズ番組であって最終番組の録画が完了しているシリーズ番組のすべての録画データを、上記録画装置に接続されている他の録画装置に移動させる転送手段と、を備えることを特徴としている。
【００１８】
上記の構成によれば、記録メディアの残容量が予約番組のすべてを録画可能な容量未満であると判定手段が判定した場合、転送手段は、記録メディアに記録されている録画データのうち、連続的に放送されるシリーズ番組であって最終番組の録画が完了しているシリーズ番組のすべての録画データを、録画装置に接続されている他の録画装置に移動させる。そのため、特定のグループに属する番組が異なる録画装置に分散して記録されることがない。したがって、録画データの管理を容易に行うことができる録画装置を実現できるという効果を奏する。
【００１９】
本発明に係る録画装置は、放送される番組を記録メディアに録画する機能を有する録画装置であって、上記記録メディアに録画予約されている予約番組を示す録画予約情報を取得する予約情報取得手段と、上記記録メディアの残容量が上記予約番組のすべてを録画可能な容量以上であるか否かを判定する判定手段と、上記記録メディアの残容量が上記予約番組のすべてを録画可能な容量未満であると上記判定手段が判定した場合、上記記録メディアに記録されている録画データのうち、少なくとも一部の録画データを、上記録画装置に接続されている他の録画装置に移動させる転送手段と、を備え、上記転送手段は、連続的に放送されるシリーズ番組以外の視聴済みの録画データを第１の優先順位で上記他の録画装置に移動させ、連続的に放送されるシリーズ番組であって最終番組の録画が完了している視聴済みのシリーズ番組のすべての録画データを第２の優先順位で上記他の録画装置に移動させ、連続的に放送されるシリーズ番組以外の未視聴の録画データを第３の優先順位で上記他の録画装置に移動させ、連続的に放送されるシリーズ番組であって最終番組の録画が完了している未視聴のシリーズ番組のすべての録画データを第４の優先順位で上記他の録画装置に移動させることを特徴としている。
【００２０】
上記の構成によれば、転送手段は、連続的に放送されるシリーズ番組以外の視聴済みの録画データ、連続的に放送されるシリーズ番組であって最終番組の録画が完了している視聴済みのシリーズ番組のすべての録画データ、連続的に放送されるシリーズ番組以外の未視聴の録画データ、および、連続的に放送されるシリーズ番組であって最終番組の録画が完了している未視聴のシリーズ番組のすべての録画データのいずれかを他の録画装置に移動させる。これらのいずれの録画データを移動した場合でも、同一のシリーズ番組が、異なる録画装置に記録されることがないので、録画データの管理を容易に行うことができる。
【００２１】
本発明に係る録画装置では、上記転送手段が移動させた録画データに関する識別情報と各録画データの移動先の録画装置とを含む録画リストを、自身に接続された表示装置に表示させる表示手段を備えることが好ましい。
【００２２】
上記の構成によれば、ユーザは、どの番組がどの録画装置に記録されているかを容易に把握できる。
【００２３】
本発明に係る録画装置では、上記転送手段が移動させた録画データを、移動先の録画装置から取り込む取込手段と、当該録画データを再生する再生手段を備えることが好ましい。
【００２４】
上記の構成によれば、移動された番組を移動元の録画装置によって簡単に視聴することができる。
【００２５】
上記の課題を解決するために、本発明に係る録画方法は、放送される番組を録画する録画方法であって、録画装置に備えられる記録メディアに録画予約されている予約番組を示す録画予約情報を取得する予約情報取得ステップと、上記記録メディアの残容量が上記予約番組のすべてを録画可能な容量以上であるか否かを判定する判定ステップと、上記判定ステップにおいて、上記記録メディアの残容量が上記予約番組のすべてを録画可能な容量未満であると判定された場合、上記記録メディアに記録されている録画データのうち、特定のグループに属する番組以外の録画データを、上記録画装置に接続されている他の録画装置に移動させる転送ステップと、を有することを特徴としている。
【００２６】
上記の構成によれば、判定ステップにおいて、記録メディアの残容量が予約番組のすべてを録画可能な容量未満であると判定された場合、転送ステップにおいて、記録メディアに記録されている録画データのうち、特定のグループに属する番組以外の録画データが、録画装置に接続されている他の録画装置に移動する。すなわち、特定のグループに属する番組は、他の録画装置に移動されない。そのため、特定のグループに属する番組が異なる録画装置に分散して記録されることがない。したがって、録画データの管理を容易に行うことができる録画方法を実現できるという効果を奏する。
【００２７】
上記録画装置は、ハードウェアで実現してもよいし、プログラムをコンピュータに実行させることによって実現してもよい。具体的には、本発明に係るプログラムは、上記録画装置の各手段としてコンピュータを機能させるプログラムであり、本発明に係る記録媒体には、当該プログラムが記録されている。
【発明の効果】
【００２８】
以上のように、本発明に係る録画装置は、放送される番組を記録メディアに録画する機能を有する録画装置であって、上記記録メディアに録画予約されている予約番組を示す録画予約情報を取得する予約情報取得手段と、上記記録メディアの残容量が上記予約番組のすべてを録画可能な容量以上であるか否かを判定する判定手段と、上記記録メディアの残容量が上記予約番組のすべてを録画可能な容量未満であると上記判定手段が判定した場合、上記記録メディアに記録されている録画データのうち、特定のグループに属する番組以外の録画データを、上記録画装置に接続されている他の録画装置に移動させる転送手段と、を備えている。また、本発明に係る録画方法は、放送される番組を録画する録画方法であって、録画装置に備えられる記録メディアに録画予約されている予約番組を示す録画予約情報を取得する予約情報取得ステップと、上記記録メディアの残容量が上記予約番組のすべてを録画可能な容量以上であるか否かを判定する判定ステップと、上記判定ステップにおいて、上記記録メディアの残容量が上記予約番組のすべてを録画可能な容量未満であると判定された場合、上記記録メディアに記録されている録画データのうち、特定のグループに属する番組以外の録画データを、上記録画装置に接続されている他の録画装置に移動させる転送ステップと、を有している。したがって、録画データの管理を容易に行うことができる録画装置および録画方法を実現できるという効果を奏する。
【図面の簡単な説明】
【００２９】
【図１】本発明の実施形態に係る録画システムの構成を示すブロック図である。
【図２】他の録画装置に移動させる番組の優先順位を設定するための画面の一例を示す図である。
【図３】録画リストの一例を示す図である。
【図４】録画データの移動手順を示すフローチャートである。
【図５】録画リストの表示手順を示すフローチャートである。
【図６】（ａ）は、特許文献１に記載のネットワークシステムを示す図であり、（ｂ）は、特許文献１に記載の放送信号記録装置を示すブロック図である。
【発明を実施するための形態】
【００３０】
本発明の実施の一形態について図１〜図５に基づいて説明すれば以下のとおりである。
【００３１】
図１は、本実施形態に係る録画システム１００の構成を示すブロック図である。録画システム１００は、録画装置１および録画装置２を備えている。録画装置１・２は、放送される番組を記録メディアに録画する機能を有しており、録画装置１と録画装置２とはネットワークＮを介して互いに接続されている。なお、録画装置２は、特許請求に記載の他の録画装置に相当する。
【００３２】
録画装置１は、放送される番組をリムーバブルな記録メディアである光ディスクＤＫ１に録画する機能を有している。光ディスクＤＫ１としては、ＤＶＤやブルーレイディスク（ＢＤ）等が用いられる。また、録画装置１は、表示装置３、スピーカ４、テレビ信号受信部５、外部信号入力部６、信号復調部９、メディアアクセス部１０、ユーザインターフェース部１１、録画予約設定部１２、録画データ管理部１３、録画予約管理部１４、予約録画実行可否判定部１５、データ転送部１６および通信インターフェース部１７を備えている。これらの機能ブロックの動作は、録画装置１が有するＣＰＵによって制御される。
【００３３】
テレビ信号受信部５は、アンテナ７が受信したＲＦ信号をＩＦ信号に周波数変換して、信号復調部９にＩＦ信号を出力する。同様に、外部信号入力部６は、外部機器８から入力されたＲＦ信号をＩＦ信号に周波数変換して、信号復調部９にＩＦ信号を出力する。信号復調部９は、テレビ信号受信部５および外部信号入力部６からのＩＦ信号を、映像信号および音声信号に復調する。映像信号は表示装置３に出力され、音声信号はスピーカ４に出力される。
【００３４】
メディアアクセス部１０は、光ディスクＤＫ１に対する録画データや録画予約情報の読み書きを行う機能を有している。ユーザインターフェース部１１は、録画装置１の本体に設けられたキーやリモートコントローラを介してユーザの操作を受け付ける機能を有している。録画予約設定部１２は、ユーザインターフェース部１１が受け付けたユーザからの録画予約操作に基づいて、予約録画をする番組の番組名や、録画開始日時および録画終了日時等の録画予約情報を、メディアアクセス部１０を介して光ディスクＤＫ１に書き込む機能を有している。
【００３５】
図１において、光ディスクＤＫ１には、録画データＤ１および録画予約情報Ｄ２が記録されている。録画データＤ１は、光ディスクＤＫ１に録画済みの番組データである。また、録画予約情報Ｄ２は、光ディスクＤＫ１の予約録画を受け付けた予約番組に関する情報であり、予約番組の番組名や各番組の録画開始日時および録画終了日時などが含まれている。
【００３６】
録画データ管理部１３は、録画データＤ１に関する情報を、光ディスクＤＫ１から読み出して管理する機能を有している。録画データＤ１に関する情報としては、録画データＤ１のデータ量や、光ディスクＤＫ１に録画された番組名、録画時間、録画日時などが含まれる。また、録画データ管理部１３は、録画データＤ１のデータ量から光ディスクＤＫ１の残容量を算出する機能を有している。
【００３７】
録画予約管理部１４は、光ディスクＤＫ１から録画予約情報Ｄ２を読み出して、図示しない録画実行部に予約録画を実行させる機能を有している。なお、録画予約管理部１４は、特許請求の範囲に記載の予約情報取得手段に相当する。
【００３８】
予約録画実行可否判定部１５は、特許請求の範囲に記載の判定手段に相当する機能ブロックである。予約録画実行可否判定部１５は、録画データ管理部１３によって算出された光ディスクＤＫ１の残容量、および録画予約管理部１４によって読み出された録画予約情報Ｄ２に基づいて、光ディスクＤＫ１の残容量が、予約番組のすべてを録画可能な容量以上であるか否かを判定する。すなわち、光ディスクＤＫ１に録画予約されている予約番組の録画時間の合計が、光ディスクＤＫ１の録画可能時間よりも長い場合に、予約録画実行可否判定部１５は、すべての予約番組の予約録画の実行は不可能であると判定する。
【００３９】
データ転送部１６は、特許請求の範囲に記載の転送手段に相当する機能ブロックである。予約録画実行可否判定部１５が、すべての予約番組の予約録画の実行は不可能であると判定した場合、データ転送部１６は、光ディスクＤＫ１に記録されている録画データＤ１のうち、所定の録画データを、通信インターフェース部１７を介して録画装置１に接続されている他の録画装置２に移動させる。これにより、光ディスクＤＫ１の残容量が増加して、予約番組のすべてを録画可能な容量以上となることにより、すべての予約番組の予約録画の実行が可能となる。
【００４０】
ここで、光ディスクＤＫ１に記録されている録画データＤ１に、連続的に放送されるシリーズ番組が含まれており、そのシリーズ番組の一部の放送回の番組のみを録画装置２に移動してしまうと、シリーズ番組の録画データが、録画装置１と録画装置２とに別々に記録されることとなるので、録画データの管理が困難となる。そこで、本実施形態では、データ転送部１６は、録画データＤ１の中から、以下の優先順位（１）〜（５）で録画データを録画装置２に移動させる。
（１）視聴済みのシリーズ番組以外の番組（以下、「カテゴリーＡ」とする）
（２）視聴済みのシリーズ番組であって最終番組の録画が完了しているシリーズ番組すべて（以下、「カテゴリーＢ」とする）
（３）未視聴のシリーズ番組以外の番組（以下、「カテゴリーＣ」とする）
（４）未視聴のシリーズ番組であって最終番組の録画が完了しているシリーズ番組すべて（以下、「カテゴリーＤ」とする）
（５）未視聴の番組であって録画日時が最も古い番組（以下、「カテゴリーＥ」とする）
すなわち、予約録画実行可否判定部１５がすべての予約番組の予約録画の実行が不可能であると判定した場合、データ転送部１６は、まずカテゴリーＡに属する番組が録画データＤ１に含まれているか検索する。カテゴリーＡに属する番組が録画データＤ１に含まれている場合、カテゴリーＡに属する番組を録画装置２に移動させる。カテゴリーＡに属する番組をすべて移動させてもなお、予約録画実行可否判定部１５がすべての予約番組の予約録画の実行が不可能であると判定した場合、データ転送部１６は、カテゴリーＢに属する番組が録画データＤ１に含まれているか検索する。カテゴリーＢに属する番組が録画データＤ１に含まれている場合、カテゴリーＢに属する番組を録画装置２に移動させる。以下、カテゴリーＣ〜カテゴリーＥに属する番組についても、予約録画実行可否判定部１５がすべての予約番組の予約録画の実行が可能であると判定するまで、データ転送部１６は、同様の処理を行う。
【００４１】
例えば、「視聴済みのシリーズ番組以外の番組」または「未視聴のシリーズ番組以外の番組」の録画データを録画装置２に移動させた場合、録画データＤ１に記録されているシリーズ番組は移動しないので、シリーズ番組の録画データが異なる記録装置に分散することはない。同様に、「視聴済みのシリーズ番組であって最終番組の録画が完了しているシリーズ番組すべて」または「未視聴のシリーズ番組であって最終番組の録画が完了しているシリーズ番組すべて」の録画データを録画装置２に移動させた場合、シリーズ番組のすべての放送回の番組の録画データが録画装置２に移動するので、シリーズ番組の録画データが異なる記録装置に分散することはない。これにより、シリーズ番組の記録漏れを防ぐことができ、ユーザにとって録画データの管理が容易となる。
【００４２】
ここで、シリーズ番組であるか否かの判定は、判定対象の番組が、定期的に（例えば毎週同時刻に）予約録画されている番組であるか、または、判定対象の番組と同一のタイトルの番組が録画データＤ１に複数含まれているか等によって行われる。
【００４３】
なお、「未視聴の番組であって録画日時が最も古い番組」を録画装置２に移動させた場合であって、当該番組がシリーズ番組である場合は、シリーズ番組が異なる記録装置に分散することとなる。しかしながら、録画日時が古いにもかかわらず未視聴である番組は、ユーザにとって重要度が低く、未視聴のまま消去される可能性が高いと考えられるため、管理上の問題は小さい。
【００４４】
なお、上記の優先順位は一例であり、ユーザによって任意に設定可能である。特に、カテゴリーＡ〜カテゴリーＤについては、優先順位（１）〜（４）の中で、適宜順位を入れ替えてもよい。
【００４５】
図２は、録画装置２に移動させる番組の優先順位を設定するための画面の一例を示す図である。同図において、左側の番組移動条件リストには番組のカテゴリーが列挙されている。ユーザは、それらのカテゴリーの中から選択して、右側の番組移動条件実行リストにおける所望の優先順位に対応する欄に選択したカテゴリーを表示させる。これにより、ユーザは、録画装置２に移動させる番組の優先順位を設定する。
【００４６】
以上のように、本実施形態では、シリーズ番組という特定のグループに属する番組であるか否か、および、視聴済みであるか否かに基づいて、番組を複数のカテゴリーに分類し、それらのカテゴリーに移動させる優先順位を与えていたが、カテゴリーに分類する基準となる番組のグループの種類は、シリーズ番組に限定されない。例えば、スポーツ番組や音楽番組など、同一ジャンルの番組を特定のグループに属する番組と定義し、当該特定のグループに属する番組であるか否かに基づいて、番組を複数のカテゴリーに分類してもよい。すなわち、特定のグループとは、異なる録画装置に分散して記録されると管理が困難となる番組の集合と言い換えることができる。例えば、スポーツ番組を特定のグループに属する番組と定義した場合、移動させる番組の優先順位を以下のように設定することができる。
（１）視聴済みのスポーツ番組以外の番組
（２）未視聴のスポーツ番組以外の番組
（３）未視聴の番組であって録画日時が最も古い番組
なお、どのジャンルの番組であるかの判定は、放送データに含まれるジャンルに関するデータに基づいて行う。
【００４７】
また、本実施形態では、データ転送部１６によって録画データの移動が行われた場合、移動された番組の移動履歴が、移動元である録画装置１および移動先である録画装置２に記録される。具体的には、データ転送部１６は、移動させた番組のタイトル、移動先の録画装置、録画の日付、視聴状況等を、履歴として図示しないメモリに格納する。ユーザの操作により、録画リストの表示が指示されると、録画データ管理部１３は、光ディスクＤＫに記録されている録画データＤ１の録画情報を取得する。同時に、録画データ管理部１３は、上記メモリから移動履歴を読み出して、移動先の録画装置にアクセスすることにより、移動先の録画装置から録画情報を取得する。これにより、録画データ管理部１３は、表示装置３に録画リストを表示させる。なお、このとき、録画データ管理部１３は、特許請求の範囲に記載の表示手段として機能する。
【００４８】
図３は、録画リストの一例を示す図である。この録画リストには、サムネイル、視聴状況、録画の日付、およびタイトルといった録画データの識別情報、および各録画データの移動先の録画装置が表示されている。これにより、ユーザは、どの番組がどの録画装置に記録されているかを容易に把握できる。なお、図３では、ネットワークＮ上に接続されているすべての録画装置の記録媒体に記録されている録画データに関する情報が表示されている。また、録画データの識別情報は、録画データがどの番組であるかをユーザが識別できる情報であれば、上記の識別情報に限定されない。
【００４９】
なお、図３に示す録画リストにおいて、録画装置１に記録されている番組のみを表示させたい場合は、「本体」の表示部分を選択する。同様に、録画装置２または録画装置２’に記録されている番組のみを表示させたい場合は、それぞれ「録画装置２」または「録画装置２’」の表示部分を選択する。
【００５０】
さらに、本実施形態では、録画装置２および録画装置２’に記録されている録画データの番組を、録画装置１で視聴することが可能となっている。具体的には、図３に示す録画リストにおいて、所望の番組を選択して「視聴する」の表示部分を選択すると、図１に示す録画データ管理部１３が通信インターフェース部１７を介して、選択した番組の録画データが記録されている録画装置にアクセスして、当該録画データを録画装置１に取り込む。このとき、録画データ管理部１３は、特許請求の範囲に記載の取込手段として機能する。録画データの取り込みが完了すると、図示しない再生手段が、取り込まれた録画データを再生する。これにより、ユーザは移動された番組を移動元の録画装置１によって簡単に視聴することができる。なお、録画データの再生は、録画データの取り込みと並行して行ってもよい（ストリーミング再生）。
【００５１】
続いて、録画装置１における録画データの移動手順、および録画装置１における録画リストの表示手順について、図４および図５を参照して説明する。
【００５２】
図４は、録画装置１における録画データの移動手順を示すフローチャートである。まず、図１に示すユーザインターフェース部１１が、ユーザからの録画予約操作を受け付けると、録画予約設定部１２は、録画予約情報を光ディスクＤＫ１に入力する（ステップＳ１）。続いて、予約録画実行可否判定部１５が、録画データ管理部１３にアクセスして、光ディスクＤＫ１の残容量を確認するとともに（ステップＳ２）、録画予約管理部１４にアクセスして光ディスクＤＫ１に記録されている録画予約情報Ｄ２を確認する（ステップＳ３）。なお、ステップＳ３は、特許請求の範囲に記載の予約情報取得ステップに相当する。これにより、予約録画実行可否判定部１５は、光ディスクＤＫ１の残容量が、予約番組のすべてを録画可能な容量以上であるか否かを判定する（ステップＳ４）。なお、ステップＳ４は、特許請求の範囲に記載の判定ステップに相当する。
【００５３】
予約録画実行可否判定部１５が、光ディスクＤＫ１の残容量が、予約番組のすべてを録画可能な容量以上であると判定した場合（ステップＳ４において「ＹＥＳ」）、録画予約情報Ｄ２が更新され（ステップＳ５）、予約録画が実行される。
【００５４】
一方、予約録画実行可否判定部１５が、光ディスクＤＫ１の残容量が、予約番組のすべてを録画可能な容量未満であると判定した場合（ステップＳ４において「ＮＯ」）、データ転送部１６が、上述した優先順位に従って、光ディスクＤＫ１から移動させる録画データを決定する（ステップＳ６）。また、データ転送部１６は、ネットワークＮ上に接続されている他の録画装置（図１では録画装置２のみ図示）における記録媒体の残容量および予約情報を確認する（ステップＳ７）。これにより、データ転送部１６は、ステップＳ６において決定した移動対象となる録画データを移動可能な録画装置が、ネットワーク上にあるか否かを判定する（ステップＳ８）。
【００５５】
移動対象となる録画データを移動可能な録画装置がネットワーク上にない場合（ステップＳ８において「ＮＯ」）、すべての予約番組の予約録画を実行できないので、例えば、予約録画を実行できない旨の警告を表示装置３に表示して、ユーザに録画予約操作のやり直しを促す。
【００５６】
これに対し、移動対象となる録画データを移動可能な録画装置（録画装置２）がネットワーク上にある場合（ステップＳ８において「ＹＥＳ」）、データ転送部１６は、当該録画データを光ディスクＤＫ１から録画装置２に移動させる（ステップＳ９）。なお、ステップＳ９は、特許請求の範囲に記載の転送ステップに相当する。続いて、データ転送部１６によって、移動履歴が更新され（ステップＳ１０）、録画予約情報Ｄ２が更新される（ステップＳ１１）。
【００５７】
図５は、録画装置１における録画リストの表示手順を示すフローチャートである。ユーザによって録画リストの表示が指示されると（ステップＳ２１）、図１に示す録画データ管理部１３は、光ディスクＤＫの録画情報を取得する（ステップＳ２２）。また、録画データ管理部１３は、図示しないメモリに格納された移動履歴を参照して、移動先の録画装置２および録画装置２’にアクセスすることにより、録画装置２および録画装置２’から録画情報を取得する（ステップＳ２３）。これにより、録画データ管理部１３は、表示装置３に録画リストを表示させる（ステップＳ２４）。
【００５８】
なお、本実施形態では、放送される番組を録画する記録メディアが光ディスクである場合を例に説明したが、記録メディアは、録画装置に内蔵されているハードディスクであってもよい。
【００５９】
最後に、図１に示す録画装置１の各ブロック、特に録画データ管理部１３、録画予約管理部１４、予約録画実行可否判定部１５およびデータ転送部１６は、ハードウェアロジックによって構成してもよいし、次のようにＣＰＵを用いてソフトウェアによって実現してもよい。
【００６０】
すなわち、録画装置１は、各機能を実現する制御プログラムの命令を実行するＣＰＵ（ｃｅｎｔｒａｌ ｐｒｏｃｅｓｓｉｎｇ ｕｎｉｔ）、上記プログラムを格納したＲＯＭ（ｒｅａｄ ｏｎｌｙ ｍｅｍｏｒｙ）、上記プログラムを展開するＲＡＭ（ｒａｎｄｏｍ ａｃｃｅｓｓ ｍｅｍｏｒｙ）、上記プログラムおよび各種データを格納するメモリ等の記憶装置（記録媒体）などを備えている。そして、本発明の目的は、上述した機能を実現するソフトウェアである録画装置１の制御プログラムのプログラムコード（実行形式プログラム、中間コードプログラム、ソースプログラム）をコンピュータで読み取り可能に記録した記録媒体を、上記録画装置２に供給し、そのコンピュータ（またはＣＰＵやＭＰＵ）が記録媒体に記録されているプログラムコードを読み出し実行することによっても、達成可能である。
【００６１】
上記記録媒体としては、例えば、磁気テープやカセットテープ等のテープ系、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク系、ＩＣカード（メモリカードを含む）／光カード等のカード系、あるいはマスクＲＯＭ／ＥＰＲＯＭ／ＥＥＰＲＯＭ／フラッシュＲＯＭ等の半導体メモリ系などを用いることができる。
【００６２】
また、録画装置１をネットワークと接続可能に構成し、上記プログラムコードをネットワークＮを介して供給してもよい。このネットワークＮとしては、特に限定されず、例えば、インターネット、イントラネット、エキストラネット、ＬＡＮ、ＩＳＤＮ、ＶＡＮ、ＣＡＴＶ通信網、仮想専用網（ｖｉｒｔｕａｌ ｐｒｉｖａｔｅ ｎｅｔｗｏｒｋ）、電話回線網、移動体通信網、衛星通信網等が利用可能である。また、通信ネットワークを構成する伝送媒体としては、特に限定されず、例えば、ＩＥＥＥ１３９４、ＵＳＢ、電力線搬送、ケーブルＴＶ回線、電話線、ＡＤＳＬ回線等の有線でも、ＩｒＤＡやリモコンのような赤外線、Ｂｌｕｅｔｏｏｔｈ（登録商標）、８０２．１１無線、ＨＤＲ、携帯電話網、衛星回線、地上波デジタル網等の無線でも利用可能である。なお、本発明は、上記プログラムコードが電子的な伝送で具現化された、搬送波に埋め込まれたコンピュータデータ信号の形態でも実現され得る。
【００６３】
本発明は上述した実施形態に限定されるものではなく、請求項に示した範囲で種々の変更が可能である。すなわち、請求項に示した範囲で適宜変更した技術的手段を組み合わせて得られる実施形態についても本発明の技術的範囲に含まれる。
【産業上の利用可能性】
【００６４】
本発明は、放送される番組を記録メディアに録画する機能を有する録画装置に好適である。
【符号の説明】
【００６５】
１    録画装置
２    録画装置
２’  録画装置
３    表示装置
４    スピーカ
５    テレビ信号受信部
６    外部信号入力部
７    アンテナ
８    外部機器
９    信号復調部
１０  メディアアクセス部
１１  ユーザインターフェース部
１２  録画予約設定部
１３  録画データ管理部（表示手段、取込手段）
１４  録画予約管理部（予約情報取得手段）
１５  予約録画実行可否判定部（判定手段）
１６  データ転送部（転送手段）
１７  通信インターフェース部
１００  録画システム
Ｄ１  録画データ
Ｄ２  録画予約情報
ＤＫ１  光ディスク（記録メディア）
【図１】
2011076690.tif 000003
【図２】
2011076690.tif 000004
【図３】
2011076690.tif 000005
【図４】
2011076690.tif 000006
【図５】
2011076690.tif 000007
【図６】
2011076690.tif 000008